(57)【要約】【課題】  毛細管現象の原理を利用して、調理の完了するまでの必要時間を、吸水部材を使用して簡単に計測でき、安価で、食した後は容器と共に、簡単に捨てることも出来るインスタント食品における調理完了時間の計測方法及び簡易タイマーである。【解決手段】  汁物等のインスタント食品であって、容器内に熱湯をそそぎ、蓋を閉じて、一定時間経過することにより調理が完了するための時間を計測に当たり、毛管現象の生ずる吸水材を用い、該吸水材の一端を、容器内の湯面あるいは液面に浸漬、あるいは接触して設け、該素材の他端を、容器の外面に設け、他端の変化により経過時間を判断する方法であり、その装置は、毛管現象の生ずる吸水材１を、時間に応じて適宜の長さに設け、該吸水材には、フィルムを素材とした略筒状体２で覆い、該吸水材の先端部は、筒状体より露出して設け、該吸水材の末端は、目印等の確認部材３を設けた簡易タイマー。【選択図】        図１
2007114148.tif 000002
【特許請求の範囲】
【請求項１】
汁物等のインスタント食品であって、容器内に熱湯をそそぎ、蓋を閉じて、一定時間経過することにより調理が完了するための時間を計測するに当たり、毛管現象の生ずる吸水材を用い、該吸水材の一端を、容器内の湯面あるいは液面に浸漬、あるいは接触して設け、該吸水材の他端を、容器の外面に設け、該吸水材の他端が吸水により変化することにより、調理時間の完了を判断することを特徴とするインスタント食品における調理完了時間の計測方法。
【請求項２】
毛管現象の生ずる吸水材（１）を、時間に応じて適宜の長さに設け、該吸水材（１）には、フィルムを素材とした略筒状体（２）で覆い、該吸水材（１）の先端部は、筒状体（２）より露出して設け、該吸水材（１）の末端は、目印等の確認部材（３）を設けたことを特徴とする簡易タイマー。
【発明の詳細な説明】
【技術分野】
【０００１】
この発明は、インスタント食品における調理完了時間の計測方法及び簡易タイマーに関するものである。
【背景技術】
【０００２】
従来、インスタント食品において、例えば、カップ麺であれば、容器内に、食材である麺、具、スープ等の食材がそれぞれ独立して包装袋に入れられており、これらを、包装袋より取り出して、カップ内に入れ、これに熱湯を注ぎ込んで、必要な時間を待ってから食べるものである。そして、この必要な時間とは、調理が完了する時間までの時間をいい、例えば、麺が熱湯により、麺類の場合には、熱湯により麺が茹でられ、ほぐれて、丁度よい食べごろになる時間を計算したものである。
【０００３】
そして、このようなインスタント食品類は、コンビニエンス・ストアやスーパー・マーケット等で手軽に、しかも、大量に販売されており、通常、忙しい仕事の合間に食することが多く、一々時計を見ながら、また、秒針のない時計であれば、尚更、調理完了時間を判断するわけにはいかず、また、仮に、時計を見ていても、計測開始時間を忘れてしまったりすることが往々にあり、食べごろの時間を計測できなかった。
【０００４】
また、屋外等や多忙な時期に食する場合においても、調理完了までの待ち時間を、わざわざ時計を見ることなく、簡単にその調理完了時間を知る方法や、時計やタイマーに代わり、簡単な使い捨てのタイマーが必要になるものである。
【発明の開示】
【発明が解決しようとする課題】
【０００５】
そこで、この発明は、時間を、時計やタイマーに頼らず、調理完了時間の計測方法及び簡易タイマーを開発・提供することにある。
【課題を解決するための手段】
【０００６】
そして、この発明は、毛管現象（毛細管現象とも呼ばれる）の原理を利用して、調理の完了するまでの必要時間を、吸水部材を使用して簡単に計測でき、安価で、食した後は容器と共に、簡単に捨てることも出来るインスタント食品における調理完了時間の計測方法及び簡易タイマーである。
【発明の効果】
【０００７】
この発明によると、毛管現象を利用して、吸水材の末端部の吸湿状態を確認部材により確認することにより、調理完了時間が簡単に計測できるため、一々、時計やタイマーを見る必要がなく、しかも、安価に作成できる等極めて有益なる効果を奏する。
【発明を実施するための最良の形態】
【０００８】
この発明の一実施例を図面により詳述すると、汁物等のインスタント食品であって、容器内に熱湯をそそぎ、蓋を閉じて、一定時間経過することにより調理が完了するための時間を計測に当たり、毛管現象の生ずる吸水材を用い、該吸水材の一端を、容器内の湯面あるいは液面に浸漬、あるいは接触して設け、該素材の他端を、容器の外面に設け、他端の変化により経過時間を判断することを特徴とするインスタント食品における調理完了時間の計測方法から構成される。
【実施例】
【０００９】
次に、この発明に使用する簡易タイマーの一実施例を図面により詳述すると、毛管現象の生ずる吸水材（１）を、時間に応じて適宜の長さに設け、該吸水材（１）には、フィルムを素材とした略筒状体（２）で覆い、該吸水材（１）の先端部は、筒状体（２）より露出して設け、該吸水材（１）の末端は、目印等の確認部材（３）を設けたことを特徴とする簡易タイマーより構成される。
【００１０】
そして、毛管現象の生ずる吸水材（１）の素材とは、吸水紙、布、糸、ひも、フェルト、綿、合成樹脂等であり、これらの吸水材（１）は、水に濡れると発色、あるいは、脱色する素材であることが望ましく、また、吸水材（１）は、コーティングされたものであってもよい。また、吸水材（１）は、その一端あるいは両端をギザギザに加工して、吸水する液体が先走りしないよう構成してもよい。
【００１１】
さらに、吸水材（１）の裏面には、着色料（Ｃ）を塗布しておき、吸水により、吸水材（１）の裏面に塗布した着色料により、吸水材（１）が変色して見えるよう構成してもよい。また、吸水材（１）は、図６（ｄ）に示すように、先端を三角形状に形成して毛管現象をスムーズに作用させ、測る時間の誤差が少なくなるよう構成してもよい。
【００１２】
そして、さらに、筒状体（２）は、筒内に吸水材（１）を嵌挿しており、かつ、該筒状体（２）の先端部は、吸水材（１）が突出しており、該突出部分が容器本体（Ｘ）の液面（Ｗ．Ｌ．）に付着させ、尚、吸水材（１）の先端部は、液面の変化により液圧の影響を受けないように、フロート（Ｆ）を設けておいてもよい。
【００１３】
さらに、吸水材（１）の末端部には、目印等の確認部材（３）を設けている。
その確認部材（３）の一例としては、目印として、タイマー・ライン（３ａ）を設け、該ラインに到達した吸水した吸水材（１）で、調理時間が終了したことを該タイマー・ライン（３ａ）で確認するものである。
【００１４】
また、筒状体（２）には、排気穴（４）を設け、かつ、吸水材（１）の末端部には液漏れを防止するため、フィルムでカバーしてもよい。
【００１５】
そして、吸水材（１）の長さは、調理完了時間で決まるが、吸水材（１）の性質により、早く吸収する性質の素材であれば、長く形成する必要があり、図６（ａ）（ｂ）に示すよう渦巻き状や円弧状に形成してもよく、当然の事ながら、吸水の遅い素材であれば比較的短く形成してもよく、吸水材（１）の目印等の確認部材（３）を、図６（ｃ）に示すようキャラクターに付してもよいものである。
【００１６】
そして、この発明のタイマーは、スープ、茶等のインスタントカップ麺、インスタントカップ食品、ティーバッグ等に装着して使用するものである。
【産業上の利用可能性】
【００１７】
この発明は、インスタント食品における調理完了時間の計測方法及び簡易タイマーの製造技術を確立し、かつ、実際に製造することにより、産業上の利用可能性を有する。
【図面の簡単な説明】
【００１８】
【図１】この発明の一実施例を示す一部欠截斜視図である。
【図２】この発明の一実施例を示し、（ａ）は正面図であり、（ｂ）はａ−ａ断面図である。
【図３】この発明の使用状態を示し、（ａ）は一部欠截斜視図、（ｂ）は、図３（ａ）中Ａの部分拡大斜視図、（ｃ）は、図３（ｂ）中Ｂのさらに部分拡大斜視図、（ｄ）は、一部欠截斜視図である。
【図４】この発明の一実施例を示す斜視図である。
【図５】この発明の一実施例を示す説明図である。
【図６】この発明の一実施例を示し、（ａ）、（ｂ）、（ｃ）、（ｄ）はいずれも平面図である。
【符号の説明】
【００１９】
１  吸水材
２  略筒状体
３  確認部材
３ａ  タイマー・ライン
４  排気穴
Ｃ  着色料
Ｆ  フロート
Ｘ  容器本体
Ｙ  蓋
Ｗ．Ｌ．  液面
【図１】
2007114148.tif 000003
【図２】
2007114148.tif 000004
【図３】
2007114148.tif 000005
【図４】
2007114148.tif 000006
【図５】
2007114148.tif 000007
【図６】
2007114148.tif 000008